(57)【要約】本発明はキックボードに関し、より詳しくは、ボードに形成されたペダルの往復運動を回転運動に転換してギアを駆動させて、使用者が地面を蹴らなくてもボードが推進することができ、変速器が具備されて使用者が容易に速度を調節することができ、ペダルを踏むことによって筋力運動ができるペダル駆動型キックボードに関する。このための本発明によるペダル駆動型キックボードは、ボードの前方に前輪を操縦するハンドルが形成され、後方には後輪が形成され、上記後輪を駆動させる二つのペダルがボードの上面に形成されたキックボードにおいて、上記ペダルの底面には一端がヒンジ結合されたリンクが設置され、リンクの他端に軸結合されてペダルの往復運動を回転運動に転換させるクランク軸の一端に形成された駆動ギアと、上記駆動ギアと噛み合って回転し、第１変速ギアと第２変速ギアの中の何れか一つの変速ギアに選択的に連結されて回転させるクラッチギアと、上記第１変速ギアと第２変速ギアにそれぞれ噛み合って回転し、連結軸の一端に設置された第１連結ギア及び第２連結ギアと、上記連結軸の両側端部に設置されて連結軸を通じて第１連結ギア及び第２連結ギアの回転力が伝達されて回転する動力伝達ギアと、上記動力伝達ギアと噛み合って回転し、後輪と回転軸によって連結されて動力伝達ギアの回転力を後輪に伝達する回転ギアと、を含むことを特徴とする。【選択図】図１
2013538726.tif 000002
【特許請求の範囲】
【請求項１】
ボード（１０）の前方に前輪（２０）を操縦するハンドル（２２）が形成され、後方には後輪（３０）が回転ギア（７０）と回転軸（７２）によって軸結合されて形成され、前記後輪（３０）を駆動させる二つのペダル（４０）がボード（１０）の上面に形成され、ペダル（４０）の底面には一端がヒンジ結合されたリンク（４２）が設置され、リンク（４２）の他端に軸結合されてペダル（４０）の往復運動を回転運動に転換させるクランク軸（４４）が設置され、前記クランク軸（４４）の一端には駆動ギア（４６）が一体に形成されて、クランク軸（４４）の回転力が駆動ギア（４６）を通じて回転ギア（７０）に伝達されて後輪（３０）が駆動され、ボード（１０）の後方上面にはサドル（８０）が形成されたキックボードにおいて、
前記クランク軸（４４）の回転力が駆動ギア（４６）を通じて回転ギア（７０）に伝達されて後輪（３０）を駆動させるために、駆動ギア（４６）と回転ギア（７０）との間には駆動ギア（４６）と噛み合って回転し、第１変速ギア（５２）と第２変速ギア（５４）の中の何れか一つの変速ギアに選択的に連結されて回転させるクラッチギア（５０）と、
前記第１変速ギア（５２）と第２変速ギア（５４）にそれぞれ噛み合って回転し、連結軸（６０）の一端に設置された第１連結ギア（６２）及び第２連結ギア（６４）と、
前記連結軸（６０）の両端部に設置され、回転ギア（７０）に噛み合って連結軸（６０）を通じて第１連結ギア（６２）及び第２連結ギア（６４）の回転力が伝達されて回転ギア（７０）を回転させる動力伝達ギア（６６）と、が形成され、
前記第１変速ギア（５２）と第２変速ギア（５４）はクラッチギア（５０）と同一軸上に設置され、前記第１変速ギア（５２）と第２変速ギア（５４）のクラッチギア（５０）と対応する面とクラッチギア（５０）の両側面にそれぞれクラッチカム（５０ａ）（５２ａ）（５４ａ）が設置されて、クラッチギア（５０）と連結された変速ギアが回転され、前記クラッチギア（５０）の一端にはクラッチギア（５０）が第１変速ギア（５２）と第２変速ギア（５４）との中の何れか一つの変速ギアと連結されるように移動させる変速レバー（５０ｂ）をさらに含むことを特徴とするペダル駆動型キックボード。
【発明の詳細な説明】
【技術分野】
【０００１】
本発明はキックボードに関し、より詳しくは、ボードに形成されたペダルの往復運動を回転運動に転換してギアを駆動させて使用者が地面を蹴らなくてもボードが推進することができ、変速器が具備されて使用者が容易に速度を調節することができ、ペダルを踏むことによって筋力運動ができるペダル駆動型キックボードに関する。
【背景技術】
【０００２】
一般に、キックボードは前後に車輪が形成されたボードに使用者が乗って、片足で地面を蹴りながら推進するようになっている。
【０００３】
このようなキックボードは携帯及び保管性が容易で、誰でも容易に利用することができて広く使われている。
【０００４】
しかし、片足のみを使うことによって、骨格が完全に形成されていない乳児及び子供の偏向成長をもたらし、長時間走行する場合には多くの体力が要求され、特に、上り坂ではより多くの力が必要になって長時間連続して楽しむには問題点があった。
【発明の概要】
【発明が解決しようとする課題】
【０００５】
本発明はこのような問題点を解決するために案出されたもので、本発明の目的は、ボードに形成されたペダルの往復運動を回転運動に転換してギアを駆動させて使用者が地面を蹴らなくてもボードが推進することができ、変速器が具備されて使用者が容易に速度を調節することができ、ペダルを踏むことによって筋力運動ができるペダル駆動型キックボードを提供することである。
【課題を解決するための手段】
【０００６】
上述した目的を達するための本発明は、ボードの前方に前輪を操縦するハンドルが形成され、後方には後輪が回転ギアと回転軸によって軸結合されて形成され、上記後輪を駆動させる二つのペダルがボードの上面に形成され、ペダルの底面には一端がヒンジ結合されたリンクが設置され、リンクの他端に軸結合されてペダルの往復運動を回転運動に転換させるクランク軸が設置され、上記クランク軸の一端には駆動ギアが一体に形成されて、クランク軸の回転力が駆動ギアを通じて回転ギアに伝達されて後輪が駆動され、ボードの後方上面にはサドルが形成されたキックボードにおいて、上記クランク軸の回転力が駆動ギアを通じて回転ギアに伝達されて後輪を駆動させるために、駆動ギアと回転ギアとの間には駆動ギアと噛み合って回転し、第１変速ギアと第２変速ギアの中の何れか一つの変速ギアに選択的に連結されて回転させるクラッチギアと、上記第１変速ギアと第２変速ギアにそれぞれ噛み合って回転し、連結軸の一端に設置された第１連結ギア及び第２連結ギアと、上記連結軸の両端部に設置され、回転ギアと噛み合って連結軸を通じて第１連結ギア及び第２連結ギアの回転力が伝達されて回転ギアを回転させる動力伝達ギアと、が形成され、上記第１変速ギアと第２変速ギアはクラッチギアと同一軸上に設置され、上記第１変速ギアと第２変速ギアのクラッチギアと対応する面とクラッチギアの両側面にそれぞれクラッチカムが設置されて、クラッチギアと連結された変速ギアが回転され、上記クラッチギアの一端にはクラッチギアが第１変速ギアと第２変速ギアの中の何れか一つの変速ギアに連結されるように移動させる変速レバーをさらに含むことを特徴とする。
【０００７】
本発明のまた他の目的及び効果は以下の詳細な説明から明確になり、本発明の好ましい実施例を表す詳細な説明及び実施例は本発明の範疇を制限するものではない。
【発明の効果】
【０００８】
本発明によるペダル駆動型キックボードによれば、ボードに形成されたペダルの往復運動を回転運動に転換してギアを駆動させて使用者が地面を蹴らなくてもボードが推進することができ、変速器が具備されて使用者が容易に速度を調節することができ、ペダルを踏むことによって筋力運動ができるという効果を奏する。
【図面の簡単な説明】
【０００９】
【図１】本発明によるペダル駆動型キックボードの斜視図である。
【図２】本発明によるペダル駆動型キックボードの動力伝達装置を示す斜視図である。
【図３】本発明によるペダル駆動型キックボードの動力伝達装置を示す平面図である。
【図４】本発明に適用されたペダルによって駆動ギアが回転される状態を示す図面である。
【図５ａ】本発明に適用されたクラッチギアと変速ギアを示す図面である。
【図５ｂ】本発明に適用されたクラッチギアと変速ギアを示す図面である。
【図５ｃ】本発明に適用されたクラッチギアと変速ギアを示す図面である。
【図５ｄ】本発明に適用されたクラッチギアと変速ギアを示す図面である。
【発明を実施するための形態】
【００１０】
以下、本発明による好ましい実施例を添付された図面を参照して詳しく説明する。まず、図面において機能的に同一または類似する部分には同じ符号を付与する。
【００１１】
図１は本発明によるペダル駆動型キックボードの斜視図であり、図２は本発明によるペダル駆動型キックボードの動力伝達装置を示す斜視図であり、図３は本発明によるペダル駆動型キックボードの動力伝達装置を示す平面図であり、図４は本発明に適用されたペダルによって駆動ギアが回転される状態を示す図面であり、図５ａ〜図５ｄは本発明に適用されたクラッチギアと変速ギアを示す図面である。
【００１２】
まず、本発明において前方はキックボードが進む方向を意味し、後方は前方の反対の方向を意味する。
【００１３】
図１〜図５ｄによれば、本発明によるペダル駆動型キックボードはボード１０の前方に前輪２０を操縦するハンドル２２が形成され、後方には後輪３０が形成され、上記後輪３０を駆動させる二つのペダル４０がボード１０の上面に形成されている。
【００１４】
上記ペダル４０と上下に作動するペダル４０の往復運動を回転運動に転換させるクランク軸４４を連結するように、一端がペダル４０の底面とヒンジ結合され、他端はクランク軸４４と軸結合されたリンク４２が設置されている。
【００１５】
また、上記クランク軸４４の一端には駆動ギア４６が形成されている。
【００１６】
上記クランク軸４４によって回転される駆動ギア４６はクラッチギア５０と噛み合ってクラッチギア５０を回転させる。
【００１７】
上記クラッチギア５０の両側にはクラッチギア５０と同一軸上に設置され、クラッチギア５０と選択的に連結されて回転される第１変速ギア５２と第２変速ギア５４とが形成されている。
【００１８】
この時、上記第１変速ギア５２と第２変速ギア５４のクラッチギア５０と対応する面とクラッチギア５０の両側面にはそれぞれクラッチカム５０ａ、５２ａ、５４ａが形成されて、第１変速ギア５２と第２変速ギア５４との中でクラッチギア５０と連結された変速ギアが回転される。
【００１９】
上記のように、クラッチギア５０の両側面に設置された第１変速ギア５２と第２変速ギア５４の中の何れか一つの変速ギアと選択的に連結するために移動されるようにクラッチギア５０の一端に変速レバー５０ｂが設置されている。
【００２０】
好ましくは、上記変速レバー５０ｂは使用者が容易にクラッチギア５０を移動させるようにボード１０の上面を貫通して突出される。
【００２１】
上記クラッチギア５０と連結されて回転する第１変速ギア５２と第２変速ギア５４にはそれぞれ第１連結ギア６２と第２連結ギア６４とが設置されている。
【００２２】
上記第１連結ギア６２と第２連結ギア６４は連結軸６０の一端にそれぞれ設置されて、クラッチギア５０と何れの変速ギアが連結されても連結軸６０が回転するようになる。
【００２３】
上記連結軸６０の両側端部には動力伝達ギア６６が形成され、それぞれの動力伝達ギア６６には回転ギア７０が噛み合っている。
【００２４】
上記回転ギア７０は動力伝達ギア６６の回転力が伝達されて回転され、その回転力を後輪３０に伝達するように後輪３０と回転軸７２によって連結されて後輪３０を駆動させる。
【００２５】
即ち、使用者がペダル４０を上下に作動させると、ペダル４０と連結されたクランク軸４４によって回転運動に変換され、変換された回転運動は駆動ギア４６を通じてクラッチギア５０に連結された第１変速ギア５２及び第２変速ギア５４、第１連結ギア６２及び第２連結ギア６４、動力伝達ギア６６ 及び回転ギア７０を経って後輪３０に伝達されて、キックボードが前へ前進するようになる。
【００２６】
この時、上記後輪３０が設置された回転軸７２や連結軸６０に補助動力手段によって別途のモーター（図示しない）をさらに設置することができる。
【００２７】
また、本発明によるペダル駆動型キックボードの他の実施例として、ボード１０の後方上面にサドル８０をさらに設置して使用者がサドル８０に座って自転車のように使うこともできる。
【００２８】
また、本発明によるペダル駆動型キックボードは、ボード１０の上面に乳児用シートや体の不便な人が座ることができる椅子をさらに設置して、ベビーカーや動力椅子として使われることができ、荷物を移動させることができるバケットを設置して車として使われることができ、自動車形状の見掛けを設置してカートやおもちゃ用自動車として使われることもできる。
【００２９】
即ち、上記説明から明確になるように、本発明によるペダル駆動型キックボードは、ボード１０に形成されたペダル４０の往復運動を回転運動に転換してギアを駆動させて、使用者が地面を蹴らなくてもボード１０が推進することができ、変速器が具備されて使用者が容易に速度を調節することができ、ペダル４０を踏むことによって筋力運動ができるという効果を奏する。
【００３０】
本発明はその精神または主な特徴から逸脱することなく、他の様々な形態で実施することができる。そこで、前述した実施例は全ての点で単純な例示に過ぎず、限定的に解釈してはいけない。本発明の範囲は特許請求の範囲によって定められ、明細書の本文によっては何らの拘束もされない。特許請求の範囲の均等範囲に属する変形や変更は全て本発明の範囲内に属する。
【符号の説明】
【００３１】
１０：ボード
２０：前輪
２２：ハンドル
３０：後輪
４０：ペダル
４２：リンク
４４：クランク軸
４６：駆動ギア
５０：クラッチギア
５０ａ：クラッチカム
５２ａ：クラッチカム
５４ａ：クラッチカム
５０ｂ：変速レバー
５２：第１変速ギア
５４：第２変速ギア
６０：連結軸
６２：第１連結ギア
６４：第２連結ギア
６６：動力伝達ギア
７０：回転ギア
７２：回転軸
８０：サドル
【図１】
2013538726.tif 000003
【図２】
2013538726.tif 000004
【図３】
2013538726.tif 000005
【図４】
2013538726.tif 000006
【図５ａ】
2013538726.tif 000007
【図５ｂ】
2013538726.tif 000008
【図５ｃ】
2013538726.tif 000009
【図５ｄ】
2013538726.tif 000010
【国際調査報告】
2013538726.tif 000011
2013538726.tif 000012
2013538726.tif 000013
2013538726.tif 000014